(57)【要約】【課題】超音波振動音が有効なディスク式オルゴールを提供する。【解決手段】振動板５の面に対して、ディスク３を回転するスプロケット３１の回転軸２５に対し、モータ２０に接続された減速機ユニット２０ａの出力軸２２を垂直に設置してモータ２０の回転振動による高周波成分による振動弁５ａの高周波振動に対する干渉を制限する。【選択図】　　図２
2004145193.tif 000002
【特許請求の範囲】
【請求項１】
筐体内の所定の位置に装填可能な円盤状ディスクと、このディスクを回転させるモータと、同心に配列されて回転自在に支持された複数の爪を外周に突出する複数の爪車と、前記ディスクの一方の面側に配置され複数の振動弁を延在する振動板とからなり、前記ディスクに配列した突起に対応する前記爪に係合させて前記爪車を連動し、この爪車から突出する別の爪が臨む前記振動弁をこの爪で弾くことにより音を発生させる発音部と共に、この振動弁の振動を上記筐体で共鳴させて音を増幅するようにし、上記振動板から見て上記ディスクの配置されている方向とは異なる方向に、前記振動板が配置される空間の筐体外への開口となる開口部を設け、上記振動板で発生した非可聴域の超高音を上記開口部から外部へ導くようにしたオルゴールにおいて、前記ディスクは外周に配列した係合孔に係合して前記ディスクを回転させる駆動部材の回転軸に対して前記モータによる駆動軸を直交方向に配設して回転伝達部材を介在させたことを特徴とするディスク式オルゴール。
【請求項２】
前記駆動軸と前記モータの出力軸は減速機構を介して連結したことを特徴とする請求項１に記載のディスク式オルゴール。
【発明の詳細な説明】
【０００１】
【発明の属する技術分野】
本発明は、ディスク式オルゴールの駆動手段に係わり、より具体的には、超高音が有効なオルゴールにおけるディスク回転駆動機構の構成に関する。
【０００２】
【従来の技術】
最近では、２万Ｈｚを超える周波数の音域の音（超高音）が、聴者の脳からα波が発生するのを促進させることが知られるようになってきた。このα波の発生時、人間は精神的にリラックス状態にあり、ストレス発散、創造活動等にとって、α波は好ましいものとされている。一方、オルゴールが発生する音の中には、２万Ｈｚ以上の超高音が含まれることが分かっている。ところが、従来のディスク式オルゴールは、音を外部に放出する開口に面しているディスク面の裏側に振動板が設置されているため、振動力の微弱な超高音はディスクに遮られて外部へ導くことができない。
【０００３】
そこで、特開平１３−１８８５２８号では図５，６に示すディスク式オルゴール１００を開示している。同図に示すように、ディスク式オルゴール１００は、駆動源としてのモータ１２０、多数の爪車１０４、２つの振動板１０５，１０６及び各振動板１０５，１０６をそれぞれ支持するフレーム１０７，１０８を備えたオルゴールユニット１３０と、このオルゴールユニット１３０に装填されモータ１２０によって回転させられる円盤状のディスク１０３と、からなる音源部１０２と、これらの音源部１０２の各部材を内部に収納し振動板１０５，１０６の振動を共鳴させる筐体１０９と、から構成されている。
【０００４】
筐体１０９は、オルゴールユニット１３０の振動板１０５，１０６を固定した各フレーム１０７，１０８を支持すると共に、音源部１０２で発生する音を共鳴させる（部材を振動させその振動を空気振動として伝達することにより音を出す）ためのものとなっている。そのため、筐体１０９は、後述する開閉扉１０９ａや開口部１０９ｂ，１０９ｃ，１０９ｄ等がなくても、それ自体ディスク式オルゴール１００の演奏中に振動して音を外部に伝達するものとなっている。
【０００５】
この筐体１０９は、内部に空間を有すると共に外観が立方体形状となっており、その内部空間にはオルゴールユニット１３０を取り付けるための取り付け板１９１と、取り付け板１９１に共鳴させた音をさらに増幅させるための増幅板１９２と、取り付け板１９１と増幅板１９２とを連結する２本の魂柱１９３，１９４と、湾曲板１９５とが備えられている。
【０００６】
また、筐体１０９は、ディスク１０３を出し入れすると共に主に筐体１０９内部で共鳴した中高音を外部へ導くために開閉自在な開閉扉１０９ａと、主に振動板１０５，１０６から発生する超高音を外部へ導くための開口となる第１開口部１０９ｂと、さらに筐体１０９内部で共鳴した中高音を主に導くための開口となる第２開口部１０９ｃと、主に筐体１０９内部で共鳴した超低音を外部へ導くための開口となる大型開口部１０９ｄと、開閉扉１０９ａを開けて内部の共鳴音を外部へ導くための開口となる上部開口部１０９ｊと、を有している。
【０００７】
而して上記構成において、図示のように音源部となるオルゴールユニット（ムーブメント）１３０の振動板１０６から見てディスク１０３が配置されている方向とは異なる方向に、振動板１０６が配置される空間から直接筐体１０９の外へ連通する第一開口部１０９ｂを設け、ディスク１０３の回転に連動する爪車１０４に弾かれた振動板１０６が発生する非可聴域の超高音を開口部１０９ｂから外部へ導くようにして、それが聴者の耳に達するようにしている。また、開口部１０９ｂを通過する超高音が反射することなく直接外部に導かれるように、４５°前方に傾斜させて配置した振動板１０６からの直接音が、左右の側板１０９ｈ，１０９ｇと底板１９６に囲まれた筐体１０９の中で反射せずに第一開口部１０９ｂから直接外部へ導かれることになり、さらに超高音をよりクリアに聴者がきくことができる。
【０００８】
そして、可聴音は、筐体１０９内部で共鳴した中高音を主に導く第二開口部１０９ｃおよび主に筐体１０９内部で共鳴した超低音を外部へ導く大型開口部１０９ｄから聴取する構成である。さらには、開閉扉１０９ａを開くと上面からも外部に可聴音が導出される。このように可聴音が超高音の音波を妨害しないように、第二開口部１０９ｃおよび大型開口部１０９ｄは、４５°前方に傾斜させてフレーム１０８が設置される取付板１９１より下方に配置し、二つの振動板１０５，１０６が設置されている空間とは連通しないようにして、筐体１０９外部へ導き出した超高音を含む可聴音を聴者が聞くことができるようになっている。
【０００９】
【特許文献１】
特開平１３−１８８５２８号公報
【００１０】
【発明が解決しようとする課題】
このように開口部から超高音が反射されず直接前面に導かれて放射されるように振動板１０６を傾けて取り付ける等、超高音を減衰させない配慮がされている。しかしながら、ディスク１０３を回転させるモータ１２０の回転軸は振動板１０５，１０６の長軸方向と平行に配置されている。これは、ディスク１０３をシャフト１１０の周りに回転させるのに、ディスク１０３の外周に推力を与えて回転させるとモータ１２０の所要トルクが少なくて済むので、小出力の小型モータが適用でき、コンパクトな構成やデザイン上で有利性があるからである。
【００１１】
そこで、このような回転駆動手段として、ディスク１０３には外周に沿って等間隔の小孔が穿設され、この小孔に咬合する歯を外周に備えるスプロケット１１１に減速機付モータ１２０の出力軸を直結させて回転させ、ディスク１０３の外周に接線方向の推力を与え、ディスク１０３をシャフト１１０の周りに回転させる機構が適用される。従って、ディスク１０３の外周で接線方向に推力を作用させるこの機構では、ディスク１０３の半径方向に沿って平行にスプロケット１１１の回転軸を配置しなければならない。
【００１２】
ところが、モータ１２０が高速回転で生じる振動音には高周波が含まれ、モータ１２０の回転で振動の振幅が大きく現れるのは回転軸に直交する方向なので、ディスク１０３の半径方向に回転軸をもつスプロケット１１１に直結させたモータ１２０が発生する振動の方向は、振動板１０５，１０６の振動弁が弾かれて振動する方向と一致する。
【００１３】
このため、モータ１２０の振動音を超高音の中に雑音として一緒に導き出すことになり、モータ１２０回転軸をディスク１０３の半径方向と平行に設置することは、振動板１０５，１０６の長軸方向と平行に配置することになり、モータ１２０の振動がそのままディスクに伝達されて、振動弁の振動と一緒に増幅されるので、ヒーリング効果を目的とする高周波に雑音として混入し、ヒーリング効果を減殺する可能性がある。
【００１４】
さらに、ディスク１０３の外周駆動によって駆動トルクが節約でき小型モータの適用が可能であっても、減速機付モータ１２０の外形は回転軸方向に長く、ディスク外周よりはみ出してしまうため、美観上の対称性を保とうとすると、モータ１２０の反対側にデッドスペースが生じてしまい、筐体の横幅を短くすることが難しい。この結果、筐体サイズが制約され音質改善にも限界が生じる。
【００１５】
そこで本発明の目的は、振動弁が発する振動音の音域内にモータの振動音を混入させないで、しかもデザインの自由度が広げられるディスク式オルゴールを提供することである。
【００１６】
【課題を解決するための手段】
上記の目的を達成するために、本発明に係わるディスク式オルゴールは、筐体内の所定の位置に装填可能な円盤状ディスクと、このディスクを回転させるモータと、同心に配列されて回転自在に支持された複数の爪を外周に突出する複数の爪車と、前記ディスクの一方の面側に配置され複数の振動弁を延在する振動板とからなり、前記ディスクに配列した突起に対応する前記爪に係合させて前記爪車を連動し、この爪車から突出する別の爪が臨む前記振動弁をこの爪で弾くことにより音を発生させる発音部と共に、この振動弁の振動を上記筐体で共鳴させて音を増幅するようにし、上記振動板から見て上記ディスクの配置されている方向とは異なる方向に、前記振動板が配置される空間の筐体外への開口となる開口部を設け、上記振動板で発生した非可聴域の超高音を上記開口部から外部へ導くようにしたオルゴールにおいて、前記ディスクは外周に配列した係合孔に係合して前記ディスクを回転させる駆動部材の回転軸に対して前記モータによる駆動軸を直交方向に配設して回転伝達部材を介在させた。そして前記駆動軸と前記モータの出力軸は減速機構を介して連結した。
【００１７】
【発明の実施の形態】
以下に、本発明に係わるディスク式オルゴールの実施の形態を図面に基づいて説明する。図１は本発明に係わるディスク式オルゴールにおける発音部であるムーブメント３０を示す平面図で、図２は図１のＩＩ−ＩＩ線に沿った正面図、図３は図２のＩＩＩ−ＩＩＩ線に沿った側面図である。所定の楽曲に対応させて突起（図示省略）を配列したディスク３を回転軸１０の周りに回転させ、突起が係合して回転を与える爪車４で第一、第二振動板５，６から一体で延在する振動弁５ａ，６ａを弾くムーブメント３０をフレーム７，８上に構成した発音部は、超高音が外部に導出可能に構成された適当な筐体（図示省略）内に設置される。
【００１８】
第一振動板５を平行に設置したフレーム７と一体で締結部７１を延在させて、第一振動板５と垂直方向に支持部材７２を一体に、ボルト結合により固設する。一方、モータ２０は、減速機ユニット２０ａと一体に構成されてケーシング２０ｂに取付フランジ２０ｃを周設する既製品で、プレート２１にボルト２１ａで固着される。プレート２１の一辺に図示のような角材（またはアングル）による結合ブロック２１ｂが固定され、プレート２１は締結部７１の面に対して垂直にボルト結合で固定される（図示省略）。好適には、支持部材７２およびプレート２１は、振動吸収に優れた合成樹脂が適用される。
【００１９】
符号２４は、直交する回転軸間の回転伝達部材で、傘歯車または直交軸継手を内蔵し、互いに直交し回転自在に支持されて同期して連動する回転軸２５，２６がケーシング２７から突出している（図４参照）。回転伝達部材２４の一方の回転軸２５に駆動部材としてスプロケット３１を同心で固定し、外周に凸設された歯３１ｂをムーブメント３０に取り付けられたディスク３の外周に沿って等間隔で穿設された係合孔３ａに咬合させる。回転伝達部材２４は、ケーシング２７に設けたネジ孔２７ａに対応する透孔を支持部材７２に穿設して、支持部材７２にボルト結合で固定する。このときディスク３は、爪車４と同軸で回転自在に支持された支持ローラ４１と、アーム３４に回転自在に支持された押えローラ３６とに挟持され下凸状に湾曲支持される。
【００２０】
回転伝達部材２４の他方の回転軸２６は、カップリング２３を介してモータ２０と一体に構成された減速機ユニット２０ａの出力軸２２に固定され、一体で回転する。ディスク３が、支持ローラ４１と押えローラ３６に挟持され湾曲されない自然状態の平面に対して、すなわち第一振動板５の面に対して垂直でディスク３の回転軸１０を含む面と平行な面内に減速機ユニット２０ａの出力軸２２の軸線が含まれるように、減速機ユニット２０ａとともにモータ２０の位置調整を行う。この位置調整は、プレート２１の結合ブロック２１ｂの取付ボルト孔をボルトの外径が遊嵌される大きさに形成することにより行うことができる。
【００２１】
【発明の効果】
以上の説明で明らかなように、本発明に係わるディスク式オルゴールは、請求項１の記載によれば、ディスクは外周に配列した係合孔に係合して前記ディスクを回転させる駆動部材の回転軸に対して前記モータによる駆動軸を直交方向に配設して回転伝達部材を介在させたので、振動弁の振動方向には、モータとして振動の少ないスラスト方向が対応し、モータ回転による雑音の混入を低減することができる。また、本発明に係わるディスク式オルゴールは、請求項２の記載によれば、駆動軸とモータの出力軸は減速機構を介して連結したので、モータの高周波振動が吸収されてディスクまで伝達されることがなく、さらに雑音の介入が少ないクリアな音を得ることができる。
【００２２】
その上、回転軸方向に細長い減速機付モータの回転軸をディスク半径方向に対して、ディスク装着面と垂直にすることにより、モータのディスクが占める領域からはみ出す部分が削減できる。この結果、ディスクサイズより少し大きな幅のオルゴールボックスが製作可能になる。従って、奥行きと幅が均整のとれたボックス内に収納できるディスク式オルゴールの製作が容易になり、デザインや音質の改善が可能となる。
【図面の簡単な説明】
【図１】本発明に係わるディスク式オルゴールにおけるムーブメントの平面図である。
【図２】図１のＩＩ−ＩＩ線に沿って示した正面図である。
【図３】図２のＩＩＩ−ＩＩＩ線に沿って示した側面図である。
【図４】本発明に係わるディスク式オルゴールに適用する回転伝達部材を示す概略の外形図で、（ａ）はスプロケット側から見た正面図、（ｂ）は（ａ）の右側面図である。
【図５】従来のディスク式オルゴールを示す正面図である。
【図６】図５のオルゴールの縦断面図である。
【符号の説明】
３　ディスク
４　爪車
５　第一振動板
６　第二振動板
７，８　フレーム
２０　モータ
２０ａ　減速機ユニット
２１　プレート
２２　出力軸
２３　カップリング
２４　回転伝達部材
２５，２６　回転軸
２７　ケーシング
３０　ムーブメント
３１　スプロケット
３６　押えローラ
４１　支持ローラ
７１　締結部
７２　支持部材
【図１】
2004145193.tif 000003
【図２】
2004145193.tif 000004
【図３】
2004145193.tif 000005
【図４】
2004145193.tif 000006
【図５】
2004145193.tif 000007
【図６】
2004145193.tif 000008